(57)【要約】      （修正有）【課題】使用した後に跡が残らず、外部から見える箇所に所望のデザインを施すことができる髪留めクリップを提供する。【解決手段】髪留めクリップ１は、第１のクリップ片と、第２のクリップ片１２と、第１のクリップ片と第２のクリップ片１２とを連結するシャフト１３と、第１のクリップ片と第２のクリップ片１２とを互いに近づく方向に付勢する付勢部材とを有するクリップ部を備える。髪留めクリップ１は、クリップ部の第１のクリップ片を収容するクリップ収容袋２０と、クリップ収容袋２０の外面に取り付けられた装飾部３０と、クリップ収容袋２０内に収容されたワイヤとを備えている。このワイヤは、クリップ部の第１のクリップ片と平行に延びている。【選択図】図１
0003192374.tif 000002
【実用新案登録請求の範囲】
【請求項１】
第１のクリップ片と、第２のクリップ片と、前記第１のクリップ片と前記第２のクリップ片とを連結するシャフトと、前記第１のクリップ片と前記第２のクリップ片とを互いに近づく方向に付勢する付勢部材とを有するクリップ部と、
前記クリップ部の第１のクリップ片を収容するクリップ収容袋と、
前記クリップ収容袋の外面に取り付けられた装飾部と、
前記クリップ収容袋内に収容され、前記クリップ部の第１のクリップ片と平行に延びるワイヤと、
を備えたことを特徴とする髪留めクリップ。
【請求項２】
前記クリップ収容袋と前記クリップ部の第２のクリップ片との間に位置する面ファスナをさらに備えたことを特徴とする請求項１に記載の髪留めクリップ。
【請求項３】
前記ワイヤは、使用者が変形させてその形を保持することができるように構成されていることを特徴とする請求項１又は２に記載の髪留めクリップ。
【考案の詳細な説明】
【技術分野】
【０００１】
本考案は、髪留めクリップに係り、特に前髪などに使用される髪留めクリップに関するものである。
【背景技術】
【０００２】
従来から様々な種類の髪留めクリップが知られている（例えば、特許文献１参照）。しかしながら、髪留めクリップの多くは髪をしっかりと挟持するものであるため、使用した後に髪の毛に髪留めクリップの跡が残ってしまう。特に前髪などは跡が残ることを嫌う箇所であるため、跡が残らない髪留めクリップが求められている。また、単に髪を挟持するだけではなく、職場や外出先でも使用できるようなデザインを施すことができることも髪留めクリップに求められてきている。
【先行技術文献】
【特許文献】
【０００３】
【特許文献１】特開２００２−２５３３３０号公報
【考案の概要】
【考案が解決しようとする課題】
【０００４】
本考案は、このような従来技術の問題点に鑑みてなされたもので、使用した後に跡が残らず、外部から見える箇所に所望のデザインを施すことができる髪留めクリップを提供することを目的とする。
【課題を解決するための手段】
【０００５】
本考案の一態様によれば、使用した後に跡が残らず、外部から見える箇所に所望のデザインを施すことができる髪留めクリップが提供される。この髪留めクリップは、第１のクリップ片と、第２のクリップ片と、上記第１のクリップ片と上記第２のクリップ片とを連結するシャフトと、上記第１のクリップ片と上記第２のクリップ片とを互いに近づく方向に付勢する付勢部材とを有するクリップ部を備えている。また、上記髪留めクリップは、上記クリップ部の第１のクリップ片を収容するクリップ収容袋と、上記クリップ収容袋の外面に取り付けられた装飾部と、上記クリップ収容袋内に収容されたワイヤとを備えている。このワイヤは、上記クリップ部の第１のクリップ片と平行に延びている。
【０００６】
このような構成により、クリップ部の第１のクリップ片と第２のクリップ片との間に、クリップ収容袋が存在しているため、第１のクリップ片と第２のクリップ片との間に髪を挟み込んでも、クリップ収容袋の柔軟性によって髪に跡が残ることがない。また、外部から見えるクリップ収容袋の外面には装飾部として所望のデザインを施すことができるので、職場や外出先でも使用できるようなデザインを施した髪留めクリップとすることができる。
【０００７】
また、上記髪留めクリップは、上記クリップ収容袋と上記クリップ部の第２のクリップ片との間に位置する面ファスナをさらに備えていることが好ましい。このように面ファスナをクリップ収容袋とクリップ部の第２のクリップ片との間に介在させることにより、クリップ部の第１のクリップ片と第２のクリップ片との間に髪を挟んだときに髪をしっかりと保持することができる。
【０００８】
さらに、上記ワイヤは、使用者が変形させてその形を保持することができるように構成されていることが好ましい。このようなワイヤを頭の形状に対応させて変形することにより、髪留めクリップを頭の形状に沿わせることができ、クリップ部の第１のクリップ片と第２のクリップ片との間にしっかりと髪を挟み込むことができる。
【考案の効果】
【０００９】
本考案によれば、クリップ部の第１のクリップ片と第２のクリップ片との間に、クリップ収容袋が存在しているため、第１のクリップ片と第２のクリップ片との間に髪を挟み込んでも、クリップ収容袋の柔軟性によって髪に跡が残ることがない。また、外部から見えるクリップ収容袋の外面には装飾部として所望のデザインを施すことができるので、職場や外出先でも使用できるようなデザインを施した髪留めクリップとすることができる。
【図面の簡単な説明】
【００１０】
【図１】本考案の一実施形態における髪留めクリップを示す正面図である。
【図２】図１の髪留めクリップの平面図である。
【図３】図１の髪留めクリップの底面図である。
【図４】図２のＡ−Ａ線断面図である。
【考案を実施するための形態】
【００１１】
以下、本考案に係る髪留めクリップの実施形態について図１から図４を参照して詳細に説明する。なお、図１から図４において、同一又は相当する構成要素には、同一の符号を付して重複した説明を省略する。
【００１２】
図１は本考案の一実施形態における髪留めクリップ１を示す正面図、図２は平面図、図３は底面図、図４は図２のＡ−Ａ線断面図である。図１から図４に示すように、本実施形態における髪留めクリップ１は、第１のクリップ片１１と第２のクリップ片１２とを有するクリップ部１０と、第１のクリップ片１１を収容するクリップ収容袋２０と、クリップ収容袋２０の外面に取り付けられた装飾部３０とを備えている。本実施形態では、装飾部３０としてレース生地が使用されているが、任意のデザインの装飾物を装飾部３０として用いることができる。なお、図４では、理解を容易にするために、装飾部３０、クリップ収容袋２０、及び後述する面ファスナ５０との間に隙間があるように示されているが、実際にはこれらの部材は互いに接するものである。
【００１３】
図１に示すように、クリップ部１０の第１のクリップ片１１と第２のクリップ片１２とは互いにシャフト１３により連結されており、このシャフト１３の周りには、第１のクリップ片１１と第２のクリップ片１２とを互いに近づく方向に付勢する付勢部材としてのスプリング（図示せず）が設けられている。このような構成により、第１のクリップ片１１の操作部１１Ａと第２のクリップ片１２の操作部１２Ａを操作することにより、第１のクリップ片１１及び第２のクリップ片１２を開閉できるようになっている。なお、図１及び図４は、第１のクリップ片１１及び第２のクリップ片１２を開いた状態を示している。なお、本実施形態では、第１のクリップ片１１の長さと第２のクリップ片１２の長さが略同一であるが、例えば第１のクリップ片１１を第２のクリップ片１２よりも長くするなど、第１のクリップ片１１の長さと第２のクリップ片１２の長さが異なっていてもよい。
【００１４】
図２及び図３に示すように、クリップ収容袋２０は、四辺のうち三辺が縫い付けられており（符号２１）、内部が袋状になっている。この袋状の部分にクリップ部１０の第１のクリップ片１１が収容されている。また、この袋状の部分には、図４に示すように、第１のクリップ片１１の両側に第１のクリップ片１１と平行に延びる一組のワイヤ４０も収容されている。このワイヤ４０は、使用者が変形できる程度の柔らかさを有しおり、変形させた後にその形を保持できるようになっている。このようなワイヤ４０としては、例えば鉄製の針金を用いることができる。
【００１５】
図１及び図４に示すように、クリップ収容袋２０の下面には、クリップ部１０の第２のクリップ片１２に対向するように面ファスナ５０が設けられている。このように面ファスナ５０が第１のクリップ片１１と第２のクリップ片１２との間に介在するので、クリップ部１０の第１のクリップ片１１と第２のクリップ片１２との間に髪を挟んだときに髪をしっかりと挟持することができる。
【００１６】
このような構成の髪留めクリップ１によれば、クリップ部１０の第１のクリップ片１１と第２のクリップ片１２との間に、クリップ収容袋２０及び面ファスナ５０が存在しているため、第１のクリップ片１１と第２のクリップ片１２との間に髪を挟み込んでも、クリップ収容袋２０及び面ファスナ５０の柔軟性によって髪に跡が残ることがない。また、外部から見えるクリップ収容袋２０の外面には装飾部３０として所望のデザインを施すことができるので、職場や外出先でも使用できるようなデザインを施した髪留めクリップ１とすることができる。
【００１７】
また、上述したワイヤ４０は、使用者が変形させてその形を保持することができるように構成されているため、ワイヤ４０を例えば後頭部の頭の形状に対応させて変形することにより、髪留めクリップ１を後頭部の頭の形状に沿わせることができ、クリップ部１０の第１のクリップ片１１と第２のクリップ片１２との間にしっかりと髪を挟み込むことができる。
【００１８】
これまで本考案の好ましい実施形態について説明したが、本考案は上述の実施形態に限定されず、その技術的思想の範囲内において種々異なる形態にて実施されてよいことは言うまでもない。
【符号の説明】
【００１９】
１    髪留めクリップ
１０    クリップ部
１１    第１のクリップ片
１１Ａ  操作部
１２    第２のクリップ片
１２Ａ  操作部
１３    シャフト
２０    クリップ収容袋
３０    装飾部
４０    ワイヤ
５０    面ファスナ
【図１】
0003192374.tif 000003
【図２】
0003192374.tif 000004
【図３】
0003192374.tif 000005
【図４】
0003192374.tif 000006